【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
ビデオ符号化における変換の選択のための装置であって、
ビデオ・シーケンスにおけるピクチャ内の少なくとも１つのブロックの符号化を、２つ以上の変換のセットから当該ブロックの残差に適用する変換を選択することによって行うビデオ符号化器を備え、
前記変換のセットは、前記ブロックに関する動きベクトルが指す参照ピクチャから決定される、前記装置。
【請求項２】
前記ビデオ符号化器は、前記変換のセットを決定し、当該変換のセットを副情報として対応する復号器に送信する、請求項１に記載の装置。
【請求項３】
前記ビデオ符号化器は、前記変換のセットを決定し、前記ビデオ符号化器と同じ変換のセットを導出するために、リファインメントおよび既に復号されているデータから対応する復号器が前記変換のセットを予測できるようにする、前記変換のセットに対する前記リファインメントを決定し、当該リファインメントを前記対応する復号器に送信し、
前記リファインメントは、リファレンスの変換又は変換のセットから変換又は変換のセットを導出するために必要な情報である、請求項１に記載の装置。
【請求項４】
前記ビデオ符号化器は、複数の変換のセットから前記変換のセットを決定し、当該変換のセットを副情報として送信する、請求項１に記載の装置。
【請求項５】
前記ビデオ符号化器は、変換の系列から、当該変換の系列のサブセットを表す前記変換のセットを決定し、前記ビデオ符号化器は、前記変換の系列のサブセットのみを送信する、請求項１に記載の装置。
【請求項６】
ビデオ符号化器における方法であって、
２つ以上の変換のセットを決定するステップと、
ビデオ・シーケンスにおけるピクチャ内の少なくとも１つのブロックを、前記変換のセットから前記ブロックの残差に適用する変換を選択することによって符号化するステップと、を含み、
前記変換のセットは、前記ブロックに関する動きベクトルが指す参照ピクチャから決定される、前記方法。
【請求項７】
前記変換のセットを副情報として対応する復号器に送信するステップをさらに含む、請求項６に記載の方法。
【請求項８】
前記ビデオ符号化器と同じ変換のセットを導出するために、リファインメントおよび既に復号されているデータから対応する復号器が前記変換のセットを予測できるようにする、前記変換のセットに対する前記リファインメントを決定するステップと、
前記リファインメントを前記対応する復号器に送信するステップであって、前記リファインメントは、リファレンスの変換又は変換のセットから変換又は変換のセットを導出するために必要な情報である、ステップと、をさらに含む、請求項６に記載の方法。
【請求項９】
前記変換のセットは、複数の変換のセットから決定され、前記方法は前記変換のセットを副情報として送信するステップをさらに含む、請求項６に記載の方法。
【請求項１０】
変換の系列から、当該変換の系列のサブセットを表す前記変換のセットを決定し、当該方法は前記変換の系列のサブセットのみを送信するステップをさらに含む、請求項６に記載の方法。
【請求項１１】
ビデオ復号における変換の選択のための装置であって、
ビデオ・シーケンスにおけるピクチャ内の少なくとも１つのブロックの復号を、２つ以上の逆変換のセットから前記ブロックの逆量子化された係数に適用する逆変換を選択することによって行うビデオ復号器を備え、
前記逆変換のセットは、前記ブロックに関する動きベクトルが指す参照ピクチャから決定される、前記装置。
【請求項１２】
前記ビデオ復号器は、前記逆変換のセットを副情報として受信する、請求項１１に記載の装置。
【請求項１３】
前記ビデオ復号器は、対応するビデオ符号化器と同じ変換のセットに対応する逆変換のセットを導出するために、リファインメントおよび既に復号されているデータから前記逆変換のセットを前記ビデオ復号器が予測できるようにする、前記逆変換のセットに対する前記リファインメントを受信し、
前記リファインメントは、リファレンスの逆変換又は逆変換のセットから逆変換又は逆変換のセットを導出するために必要な情報である、請求項１１に記載の装置。
【請求項１４】
前記逆変換のセットが複数の逆変換のセットから決定され、当該逆変換のセットが前記ビデオ復号器によって副情報として受信される、請求項１１に記載の装置。
【請求項１５】
逆変換の系列から、当該逆変換の系列のサブセットを表す前記逆変換のセットが決定され、前記ビデオ復号器は、当該逆変換の系列のサブセットのみを受信する、請求項１１に記載の装置。
【請求項１６】
ビデオ復号器における方法であって、
ビデオ・シーケンスにおけるピクチャ内の少なくとも１つのブロックを、２つ以上の逆変換のセットから当該ブロックの逆量子化された係数に適用する逆変換を選択することによって復号するステップを含み、
前記逆変換のセットは、前記ブロックに関する動きベクトルが指す参照ピクチャから決定される、前記方法。
【請求項１７】
前記逆変換のセットを副情報として受信するステップをさらに含む、請求項１６に記載の方法。
【請求項１８】
対応するビデオ符号化器と同じ変換のセットに対応する逆変換のセットを導出するために、リファインメントおよび既に復号されているデータから前記逆変換のセットを前記ビデオ復号器が予測できるようにする、前記変換のセットに対する前記リファインメントを受信するステップと、
前記リファインメントおよび前記既に復号されているデータから前記変換のセットを予測するステップであって、前記リファインメントは、リファレンスの逆変換又は逆変換のセットから逆変換又は逆変換のセットを導出するために必要な情報である、ステップと、
をさらに含む、請求項１６に記載の方法。
【請求項１９】
前記逆変換のセットが複数の逆変換のセットから決定され、前記方法は前記逆変換のセットを副情報として受信するステップをさらに含む、請求項１６に記載の方法。
【請求項２０】
逆変換の系列から、前記逆変換の系列のサブセットを表す前記逆変換のセットが決定され、前記方法は前記逆変換の系列のサブセットのみを受信するステップをさらに含む、請求項１６に記載の方法。
【手続補正２】
【補正対象書類名】明細書
【補正対象項目名】０１１５
【補正方法】変更
【補正の内容】
【０１１５】
添付図面を参照して本願明細書中で例示的な実施の形態について説明したが、本発明はこれらの実施の形態に厳格に限定されるものではなく、関連技術に関して通常の技術を有する者であれば、本願発明の原理の範囲または精神を逸脱することなく、様々な変更、改変を施すことが可能であることが理解できるであろう。このような変更、改変は、全て、添付の特許請求の範囲に定義されたような本願の原理の範囲に含まれるように意図されている。
［付記１］
装置であって、
ピクチャ内の少なくともブロックの符号化を、２つ以上の変換のセットから当該ブロックの残差に適用する変換を選択することによって行うビデオ符号化器（３００）を備え、  前記変換のセットは、前記ブロックについて符号化されることになるデータから決定される、前記装置。
［付記２］
前記ビデオ符号化器（３００）は、前記変換のセットを決定し、当該変換のセットを副情報として対応する復号器に送信する、付記１に記載の装置。
［付記３］
前記ビデオ符号化器（３００）は、前記変換のセットを決定し、前記ビデオ符号化器と同じ変換のセットを導出するために、リファインメントおよび既に復号されているデータから対応する復号器が前記変換のセットを予測できるようにする、前記変換のセットに対する前記リファインメントを決定し、当該リファインメントを前記対応する復号器に送信する、付記１に記載の装置。
［付記４］
前記ビデオ符号化器（３００）は、複数の変換のセットから前記変換のセットを決定し、当該変換のセットを副情報として送信する、付記１に記載の装置。
［付記５］
前記ビデオ符号化器（３００）は、変換の系列から、当該変換の系列のサブセットを表す前記変換のセットを決定し、前記ビデオ符号化器（３００）は、前記変換の系列のサブセットのみを送信する、付記１に記載の装置。
［付記６］
ビデオ符号化器における方法であって、
１つ以上の変換のセットを決定すること（５１５）と、
ピクチャ内の少なくともブロックの符号化（５１０）を、前記変換のセットから前記ブロックの残差に適用する変換を選択する（５２０）ことによって行うことと、を含み、
前記変換のセットは、前記ブロックについて符号化されることになるデータから決定される（５１５）、前記方法。
［付記７］
前記変換のセットを副情報として対応する復号器に送信すること（７７０）をさらに含む、付記６に記載の方法。
［付記８］
前記ビデオ符号化器と同じ変換のセットを導出するために、リファインメントおよび既に復号されているデータから対応する復号器が前記変換のセットを予測できるようにする、前記変換のセットに関して前記リファインメントを決定することと、
前記リファインメントを前記対応する復号器に送信することと、をさらに含む、付記６に記載の方法。
［付記９］
前記変換のセットは、複数の変換のセットから決定され、当該方法は前記変換のセットを副情報として送信すること（７７０）をさらに含む、付記６に記載の方法。
［付記１０］
変換の系列から、当該変換の系列のサブセットを表す前記変換のセットを決定し、当該方法は前記変換の系列のサブセットのみを送信すること（５１５、５２０、７７０）をさらに含む、付記６に記載の方法。
［付記１１］
装置であって、
ビデオ・シーケンスにおけるピクチャ内の少なくともブロックの復号を、２つ以上の逆変換のセットから前記ブロックの逆量子化された係数に適用する逆変換を選択することによって行うビデオ復号器（４００）を備え、
前記逆変換のセットは、前記ブロックについて復号されるデータから決定される、前記装置。
［付記１２］
前記ビデオ復号器（４００）は、前記逆変換のセットを副情報として受信する、付記１１に記載の装置。
［付記１３］
前記ビデオ復号器（４００）は、対応するビデオ符号化器と同じ逆変換のセットを導出するために、リファインメントおよび既に復号されているデータから前記逆変換のセットを前記ビデオ復号器（４００）が予測できるようにする、前記逆変換のセットに関して前記リファインメントを受信する、付記１１に記載の装置。
［付記１４］
前記逆変換のセットが複数の逆変換のセットから決定され、当該逆変換のセットが前記ビデオ復号器（４００）によって副情報として受信される、付記１１に記載の装置。
［付記１５］
逆変換の系列から、当該逆変換の系列のサブセットを表す前記逆変換のセットが決定され、前記ビデオ復号器（４００）は、当該逆変換の系列のサブセットのみを受信する、付記１１に記載の装置。
［付記１６］
ビデオ復号器における方法であって、
ビデオ・シーケンスにおけるピクチャ内の少なくともブロックの復号を、２つ以上の逆変換のセットから当該ブロックの逆量子化された係数に適用する逆変換を選択すること（６１５、６２０）によって行うこと（６１０）を含み、
前記逆変換のセットは、前記ブロックについて復号されるデータから決定される（６１５、６２０）、前記方法。
［付記１７］
前記変換のセットを副情報として受信すること（８１０）をさらに含む、付記１６に記載の方法。
［付記１８］
対応するビデオ符号化器と同じ変換のセットを導出するために、リファインメントおよび既に復号されているデータから前記変換のセットを前記ビデオ復号器が予測できるようにする、前記逆変換のセットに関して前記リファインメントを受信すること（８１０）と、
前記リファインメントおよび前記既に復号されているデータから前記変換のセットを予測すること（６１５、６２０）と、をさらに含む、付記１６に記載の方法。
［付記１９］
前記変換のセットが複数の変換のセットから決定され、前記方法は前記変換のセットを副情報として受信すること（８１０）をさらに含む、付記１６に記載の方法。
［付記２０］
変換の系列から、当該変換の系列のサブセットを表す前記変換のセットが決定され、前記方法は前記変換の系列のサブセットのみを受信すること（８１０）をさらに含む、付記１６に記載の方法。